(57)【要約】【課題】コンテンツの編成が容易であり、コンテンツの副次的情報を提供でき、さらに最新の情報を利用した音声認識を行えるようにすること。【解決手段】ユーザ３０が音声等によりキーワードを指定すると、情報端末１０は、編成方法リスト１７を参照して、音声認識結果のキーワードに対応した編成方法でコンテンツリストを編成するように配信サーバ２０に要求する。配信サーバ２０はこの要求に基づいてコンテンツリストを編成し、情報端末１０にＵＲＬリスト、付随情報等を通知する。情報端末１０は、そのリストを元に、ユーザへコンテンツを提供する。また、コンテンツリストのコンテンツの作成者やコンテンツ名、更新日時等のコンテンツ情報から副次的情報を作成し、ユーザに提供する。また、ユーザがジャンルリストを要求すると配信サーバ２０は、ジャンルリストとともに、その音声認識辞書を情報端末１０に配信する。【選択図】　　　　　図１
2004054734.tif 000002
【特許請求の範囲】
【請求項１】
情報端末と、ジャンル別にコンテンツが登録されている配信サーバとからなる情報提供システムであって、
上記情報端末は、ユーザが指定したキーワードと、予め設定された少なくともキーワードとコンテンツの編成方法との対応を示した編成方法リストを元に、コンテンツ編成方法を設定し、配信サーバに送信する手段を備え、
上記配信サーバは、上記指定されたキーワードとコンテンツ編成方法によってコンテンツリストを編成する手段と、コンテンツリストを上記情報端末に配信する手段を備える
ことを特徴とする情報提供システム。
【請求項２】
ユーザが指定したキーワード、もしくは、ユーザによる発話の音声認識結果から抽出されたキーワードと、予め設定された少なくともキーワードとコンテンツの編成方法との対応を示した編成方法リストを元に、コンテンツ編成方法を設定し、配信サーバへ送信する手段と、
上記キーワードとコンテンツ編成方法によって編成されたコンテンツリストを配信サーバから受信し、コンテンツリストに含まれるコンテンツに関する情報をユーザに提供する手段を備えた
ことを特徴とする情報端末。
【請求項３】
上記コンテンツリストに含まれるコンテンツに関する情報とともに、コンテンツに関する情報の少なくとも一部を用いて作成した副次的情報をユーザに提供する手段を備えた
ことを特徴とする請求項２の情報端末。
【請求項４】
ジャンル別にコンテンツが登録されている配信サーバであって、
上記配信サーバは、情報端末から指定されたキーワードとコンテンツ編成方法によってコンテンツリストを編成する手段と、
上記情報端末に上記コンテンツリストを配信する手段と、
情報端末からの要求に応じて、ジャンルリストと該ジャンルリスト中のジャンルを音声認識するための、音声認識辞書を提供する手段とを備えている
ことを特徴とする配信サーバ。
【請求項５】
コンテンツをユーザに提供する情報端末における情報提供プログラムであって、
上記プログラムは、
ユーザによる発話の音声認識結果から抽出したキーワードと、予め設定された少なくともキーワードとコンテンツの編成方法との対応を示した編成方法リストを元に、コンテンツ編成方法を設定し、配信サーバに送信する処理と、
上記キーワードとコンテンツ編成方法によって編成されたコンテンツリストを受信し、前記コンテンツリストに含まれるコンテンツに関する情報をユーザに提供する処理をコンピュータに実行させる
ことを特徴とする情報提供プログラム。
【発明の詳細な説明】
【０００１】
【発明の属する技術分野】
近年、インターネット常時接続環境が整備されつつあり、一般のユーザがインターネットを簡単に使える仕組みが望まれている。
本発明は、インターネットの情報をオンデマンドで番組の形に編成して提供する情報提供システムに関する。
【０００２】
【従来の技術】
従来のシステムを図７に示す。同図において、１は情報端末、２はコンテンツ配信サーバであり、情報端末１は例えば音声認識エンジンと音声認識辞書を備えている。
ユーザ３がキーワードと複数の検索方法（新着順／人気順など）から一つの方法等を例えば音声で入力すると、情報端末１は音声認識辞書１ａによりユーザ３の音声を認識して、ユーザが指定したキーワード、検索方法等を配信サーバ２に送信する。
配信サーバ２は、ユーザ３の指定に基づき、指定されたキーワードと検索方法に基づき、検索エンジンによりコンテンツのＵＲＬを検索し、ＵＲＬリストを情報端末１に送信する。情報端末１は、上記ＵＲＬリストに基づき、コンテンツを取得して、ユーザに提供する。
【０００３】
従来の情報提供システムでは、上記のように、一つ以上のキーワードと複数の検索方法（新着順／人気順など）から一つの方法を指定することによって、目的の情報を取得していた。
また、従来の情報提供システムや既に普及している検索エンジンでは、キーワードと検索方法を入力することによって、コンテンツのＵＲＬやそのコンテンツの一部抜粋がリストとして取得でき、そのリストを元に情報端末１はコンテンツサーバからコンテンツを取得していた。
更に、情報端末で配信サーバに登録されているジャンルを音声入力する場合には、上記のように情報端末１に同ジャンルに対応した音声認識辞書を設定しておく必要があった。
【０００４】
【発明が解決しようとする課題】
上記従来の情報提供システムでは、ユーザがキーワードと検索方法を指定する必要があるので、ＵＲＬリストを取得するまでの操作が煩雑となっていた。しかも、同じキーワードと同じ検索方法を指定する場合でも、指定する度に同じことを繰り返す必要があった。
また、従来の情報提供システムや既に普及している検索エンジンを用いてコンテンツを取得する場合には、ＵＲＬやそのコンテンツの一部抜粋のリストは得られるが、コンテンツの作者や作成日時などと言ったコンテンツ付随の情報は得られず、コンテンツを取得するための参考となる情報が乏しかった。
更に、情報提供システムの情報端末でユーザのジャンルを音声で入力する場合、情報端末にジャンルリストとそのジャンルの音声認識辞書が必要で、配信サーバでのジャンルの更新が情報端末に反映されないと言った問題もあった。
【０００５】
本発明は上記従来技術の問題点を解決するためになされたものであって、
本発明の目的は、一般のユーザが煩雑な操作をしなくても、コンテンツを容易に編成することが可能であり、また、コンテンツをユーザに提供する際に、そのコンテンツの副次的情報を提供することができ、さらに、情報端末の音声認識エンジンが認識できる単語に制限がある場合であっても、最新の情報を利用して音声認識を行うことができる情報提供システムを提供することである。
【０００６】
【課題を解決するための手段】
上記問題点を解決するために、本発明では、専用コンテンツ配信サーバと情報端末からなるシステムに、以下の機能を持たせた。
（１）キーワードとコンテンツ編成方法の自動選択機能
一つ以上のキーワードと最適な編成方法の組からなる編成方法リストを用意し、キーワードを入力するだけで最適な編成方法と所望のキーワードを設定して編成できるようにする。
これにより、ユーザは、キーワードを入力するだけで、所望の形に編成されたコンテンツを取得することができ、従来のシステムにおける操作の煩雑さを解消し、コンテンツを容易に編成することが可能となる。
（２）コンテンツの副次的情報作成機能
コンテンツ登録時に、ＵＲＬだけでなく、コンテンツ名、作成者、作成日時、更新日時などの付随情報も含めて登録し、この登録された情報を元に補足的なテキスト情報を端末側で生成してユーザに提供する。
例えば、コンテンツをユーザに提供する際、「○○さんのＡＡＡＡをお届けします。」あるいは「このコンテンツは最新のものなので、期待してね。」のように、コンテンツの提供元、作成時点、コンテンツの特徴等を含む補足的な情報をユーザに提供する。これにより、ユーザは、提供されたコンテンツの付随情報を、格別の操作をすることなくわかり易い表現で取得でき、ユーザの利便性を向上させることができる。
（３）ジャンルリスト・音声認識辞書の一元管理機能
ジャンルリストと音声認識辞書をコンテンツ登録サーバでもある配信サーバで一元管理するために、端末でジャンルリストの要求があった場合、サーバから端末にジャンルリスト画面と同ジャンル一覧に対応する音声認識辞書を同時に転送する。
上記構成とすることにより、ユーザが、情報端末に予め音声認識辞書が用意されていない新しいジャンルのキーワードを音声で入力しても、音声認識を行うことが可能となり、利便性を向上させることができる。
【０００７】
【発明の実施の形態】
図１は本発明の実施例の情報提供システムの概念図である。同図において、１０は情報端末、２０は配信サーバであり、配信サーバ２０は、ジャンル毎のコンテンツ登録リスト２１を備えている。ここで、コンテンツは、例えばＨＴＭＬテキストや音楽、動画等である。
上記登録リスト２１は、一般ユーザや配信サーバ管理者によってジャンル別に登録されたコンテンツの情報から成り、図２に示すように、登録時には、ユーザにより、作成者、作成日時、更新日時等の情報が登録される。
更に、配信サーバ２０は、情報端末１０によって指定されたキーワードとコンテンツ編成方法により、該当するコンテンツを選択してコンテンツリストを編成する。特に、編成するコンテンツリストは、コンテンツ名、コンテンツのＵＲＬだけでなく、順位、作成者、作成日時、更新日時等のコンテンツに関する複数の情報を含む。
【０００８】
一方、情報端末１０は、一つ以上のキーワードと最適な編成方法の組からなる編成方法リスト１７を備え、ユーザ３０が音声等によりキーワードを指定すると、情報端末１０は音声認識を行って指定したキーワードを認識し、編成方法リスト１７を参照して、認識結果のキーワードに対応した編成方法でコンテンツリストを編成するように配信サーバ２０に要求する。
要求を受けた配信サーバ２０は、上記要求に基づいてコンテンツリストを編成し、情報端末１０にＵＲＬリスト、付随情報等を通知する。情報端末１０は、そのコンテンツリストを元に、ユーザへコンテンツと副次的情報（後述する）を提供する。
上記編成方法リストは、例えば、予め作成されたものを配信サーバ２０から情報端末１０に配信するようにしてもよいが、ユーザが、この編成リストのキーワードやキーワード属性、編成方法をカスタマイズできるようにしておくのが望ましい。これにより、ユーザは好みに応じたコンテンツを好みに応じた編成方法で取得することができる。
なお、ここでは、上記キーワードと編成方法リストにより、コンテンツを選択し人気順、新着順等でコンテンツをまとめることを編成と呼ぶ。
一方、ジャンルでの入力をユーザが所望した場合、情報端末１０は、配信サーバ２にジャンルリストの要求を行う。要求を受けた配信サーバ２０は、ジャンルリストと、同ジャンルに関する音声認識辞書を情報端末１０に送信する。情報端末１０はこの音声認識辞書を用いて最新のジャンルについて音声認識を行い、配信サーバ２にキーワードを送信する。
【０００９】
図３は、上記情報端末１０の構成例を示す図である。
同図において、１０は情報端末全体を示しており、１１はユーザの音声入力を取得するマイクロホンであり、マイクロフォン１１に入力された音声情報は、音声認識処理部１２に送られる。音声認識処理部１２は、音声認識辞書１８によりユーザの発話を音声認識する。
音声認識処理部１２で認識された認識結果は、テキスト解析処理部１３で処理され、ネットワーク処理部１６、インターネット網４０を介して配信サーバ２０に送られる。
そして、上記テキスト解析処理部１３での処理結果に基づいて配信サーバ２０との連携を行い、編成した番組をユーザに提供する。
例えば、ユーザがキーワードを指定すると、テキスト解析処理部１３は、前記したように、編成方法リスト１７を参照して、認識結果のキーワードに対応した編成方法でコンテンツリストを編成するように配信サーバ２０に要求する。
配信サーバ２０から送られてきた、ＵＲＬリスト、付随情報等は、取得リスト格納部１３ａに格納され、テキスト解析処理部１３で処理される。そして、取得したコンテンツや副次的情報は、ディスプレイ１９に送られて映像として表示されたり、音声合成処理部１４で音声合成され、スピーカ１５によりユーザ３０に提供される。
【００１０】
以下、前記課題を解決するための手段で述べた情報端末１０の３つの機能について説明する。
（１）キーワードとコンテンツ編成方法の自動選択機能
情報端末１０は、ユーザの発話を音声認識して制御コマンドとコンテンツ編成用キーワードに分類する。
以下、図４によりコンテンツの取得手順について説明する。
（ａ）　音声認識が単語のみを認識する場合：
ユーザ３０の発話を音声認識処理部１２で音声認識し（図４のステップＳ１）、それが本情報端末１０の制御コマンドであるかを判別する（ステップＳ４）。この判別では、表１のような制御コマンドリストを用い、このリストに含まれるものは、装置の制御を行う等、該当する制御処理を行う（ステップＳ５）。それ以外の場合は、キーワードと見なして、キーワードによるコンテンツ編成方法を設定する。なお、キーワードの属性は音声認識結果から分かっているものとする。
【００１１】
【表１】
2004054734.tif 000003
【００１２】
（ｂ）　音声認識が文章を認識する場合：
ユーザの発話を音声認識し（図４のステップＳ１）、認識結果を形態素解析して名詞群を抽出する（ステップＳ２，Ｓ３）。その名詞群に本情報端末１０の用制御コマンド（上記表１参照）がある場合には、該当する制御処理を行う（ステップＳ４，Ｓ５）。
そうでない場合は、名詞群をキーワードと見なして、キーワードによるコンテンツ編成方法を設定し、配信サーバ２０に送る（ステップＳ６）。そして、配信サーバ２０からコンテンツリストを取得し（ステップＳ７）、コンテンツを変更して（ステップＳ８）、ステップＳ１に戻る。なお、キーワードの属性は音声認識結果から分かっているものとする。
【００１３】
次に、キーワードによるコンテンツ編成方法の設定の仕方について説明する。この設定では、予め定義した前記編成方法リスト１７を用いる。
編成方法リストとは、キーワード自体やその属性（一般名詞、人名、地名等）とそれらに相応しいコンテンツ編成方法とを対応付けたリストである。もちろん、必要に応じて追加キーワードを含めても良い。
なお、コンテンツ編成方法には、編成対象（配信サーバでのコンテンツや本情報端末内にユーザが登録したコンテンツ等）、編成の仕方（新着、人気、お勧め等）やコンテンツ種別（ＨＴＭＬファイル、動画ファイル、音楽ファイル）等を設定できるものとする。
例えば、キーワードに関する編成方法リストを表２のように設定したとする。この編成方法リストは、以下のようにキーワードと、それに対応したユーザ等により予め設定された追加キーワード、編成方法から構成される。なお、コンテンツがＨＴＭＬファイルであるのか、動画ファイルであるか等のコンテンツの種別を設定しておいてもよい。
【００１４】
【表２】
2004054734.tif 000004
【００１５】
この時、キーワードとして「プロ野球」が入力されたとすると、情報端末１０のテキスト解析処理部１３は表２に示すキーワードに関する編成方法リストから、キーワードの「プロ野球」に対応した追加キーワードと編成方法を読み出し、キーワードを「プロ野球」、追加キーワードを「結果」とし、「人気順」でコンテンツリストを編成するように、配信サーバ２０に要求する。
要求を受けた配信サーバ２０は、その条件に基づいてコンテンツリストを編成し、前記図１に示したように、情報端末１０にリストを通知する。
情報端末１０は、そのコンテンツリストを元に、ユーザ３０へコンテンツを提供する。
なお、ユーザ３０は、前記制御コマンド（表１参照）を使用して、次のコンテンツを表示させたり、前のコンテンツに戻すことができる。なお、表示画面上に、コンテンツリストの一部を表示しておけば、ユーザはそれを見ながら、コンテンツを送ったり戻したりすることもできる。
また、キーワード属性に関する編成方法リストを表３のように設定したとする。この編成方法リストは、以下のようにキーワード属性と、それに対応したユーザ等により予め設定された追加キーワード、編成方法から構成される。なお、前記したようにコンテンツの種別を設定しておいてもよい。
【００１６】
【表３】
2004054734.tif 000005
【００１７】
表３のように設定されている場合に、ユーザ３０がキーワードとして例えば「モーツァルト」を入力したとすると、音声認識処理部１２で、この音声を認識し、その属性を判別する。
「モーツァルト」の属性は「人名」であり、テキスト解析処理部１３は表３に示すキーワード属性に関する編成方法リストから、「人名」に対応する追加キーワード「音楽」、編成方法「人気順」を読み出す。
そして、キーワードを「モーツァルト」と「音楽」とし、「人気順」でコンテンツリストを編成するように、情報端末１０は配信サーバ２０に要求し、後は前と同じように処理する。
なお、この例ではキーワード属性が「人名」のとき、追加キーワードを「音楽」としてしているが、編成方法リストを変えて、人名で例えばプロ野球等にするなど、ユーザの好みに応じて適宜設定することができる。
【００１８】
（２）コンテンツの副次的情報作成機能
次に、情報端末１０がコンテンツリストのコンテンツ情報から生成する、「コンテンツの副次的情報」について説明する。例えば、配信サーバから表４のようなコンテンツリストが得られたとする。
ここで、表４における「順位」は人気順／新着順等の順位を示し、人気順の場合には「前回の順位」の欄に前回の順位が入る。また、コンテンツＩＤは各コンテンツに付けられたＩＤ番号、再生時間は、動画や音楽等の再生に要する時間である。
【００１９】
【表４】
2004054734.tif 000006
【００２０】
情報端末１０のテキスト解析処理部１３において、上記コンテンツリストのコンテンツの作成者やコンテンツ名、更新日時等のコンテンツ情報から、予め設定された応答テンプレートを用いて、次のような副次的情報を生成することができる。これら副次的情報は、例えば音声によりユーザに提供される。
なお、このコンテンツの提供日時を、ここでは仮に２００２／１／１８　Ｐ．Ｍ．１：００であるとするとする。
＜例１＞
例えば、表４のコンテンツＩＤが４５６については、例えば、以下の副次的情報が作成される。
（ｉ）　　　〔副次的情報〕「○○さんのＡＡＡＡをお届けします。」
（ｉｉ）　　〔副次的情報〕「このコンテンツは最近更新されたので、期待してね。」
（ｉｉｉ）　〔副次的情報〕「コンテンツは、…」
また、情報端末１０は、コンテンツの作成者やコンテンツ名、再生時間から次のような副次的情報を生成できる。
＜例２＞
例えば、表４のコンテンツＩＤが１２３のコンテンツについて、例えば、以下の副次的情報が作成される。
（ｉ）　　　〔副次的情報〕「△△さんのＢＢＢＢをお届けします。」
（ｉｉ）　　〔副次的情報〕「このコンテンツは長編なので、じっくり楽しんでね。」
（ｉｉｉ）　〔副次的情報〕「このコンテンツ…」
【００２１】
これら副次的情報の生成では、ユーザが予め生成して欲しい情報を生成するように設定しても良いし、提供する情報に優先度を設けて優先度の高い情報から選んで提供しても良い。例えば、作成者、更新日時、再生時間等について、優先度を設定すれば、上記優先度に基づき、上記副次的情報が生成される。
また、配信サーバ２０に応答テンプレートを用意し、情報端末１０の要求に応じてテンプレートを取得して応答を変更しても良い。
更に、これらの情報を画面に表示して、コンテンツ選択の参考情報とすることもできる。
【００２２】
（３）ジャンルリスト・音声認識辞書の一元管理機能
配信サーバ２０はジャンルを元にコンテンツを管理するので、ユーザはジャンルリストを見ながらコンテンツを選択したい場合もある。
この場合、情報端末１０は、配信サーバ２０が有するジャンルリストをユーザに提供し、かつ、ユーザの音声入力をジャンルと認識する必要がある。
そこで、ジャンルでの入力をユーザが所望した場合、情報端末１０は、図５に示すように配信サーバ２０にジャンルリストを要求し、配信サーバ２０からジャンルリストと、同ジャンルに関する音声認識辞書を取得する。
なお、ジャンル入力への切り替えは、前記表１に示した制御コマンドの音声入力で実現することができる。また、上記ジャンルリスト等は、上記のようにユーザの要求に応じて情報端末１０へ配信するようにしてもよいし、また、定期的に、あるいは、ジャンルリストが更新される毎に情報端末１０に配信するようにしてもよい。
情報端末１０は、上記ジャンルリストを取得すると、ジャンルリストを画面等に一覧表示し、ユーザが上記ジャンルリストに基づき音声入力を行うと、配信サーバ２０から取得した上記音声認識辞書を用いて、音声認識を行う。
上記のように、取得した音声認識辞書を用いて音声認識すれば、最新のジャンルでも音声認識することができる。
なお、ジャンルリストはＨＴＭＬファイルで構成し、図６に示すように、選択可能なジャンルをチェックボックス等で設定できるようにしても良い。
【００２３】
以上のように、音声での入力とブラウザ画面へのマウス操作での入力を同等に扱える仕組みを組み込むことにより、ユーザは音声、または、マウス操作で簡単に入力できるようになる。
この方法により、最新のジャンルを反映した音声認識辞書を配信サーバで一元管理でき、情報端末は最新の音声認識辞書を用いてユーザの発話を音声認識できる。
なお、上記実施例では、編成方法リスト等を情報端末に設け、コンテンツ編成方法を設定したり、コンテンツの副次的情報を作成しているが、これらの機能を配信サーバで行うようにしてもよい。例えば、配信サーバに上記編成方法リストを設けて、情報端末で指定されたキーワードと、上記編成方法リストによりコンテンツの編成方法を設定したり、上記副次的情報を生成して情報端末に送るようにしてもよい。
また、情報端末でコンテンツリストを編成するなど、配信サーバで行っている機能の一部を情報端末で実現するようにしてもよく、上記実施例はあくまで一つの例を示したものであり、本発明の要旨の範囲内で、種々変形することができる。
【００２４】
（付記１）　情報端末と、ジャンル別にコンテンツが登録されている配信サーバとからなる情報提供システムであって、
上記情報端末は、ユーザが指定したキーワードと、予め設定された少なくともキーワードとコンテンツの編成方法との対応を示した編成方法リストを元に、コンテンツ編成方法を設定し、配信サーバに送信する手段を備え、
上記配信サーバは、上記指定されたキーワードとコンテンツ編成方法によってコンテンツリストを編成する手段と、コンテンツリストを上記情報端末に配信する手段を備えることを特徴とする情報提供システム。
（付記２）　ユーザが指定したキーワード、もしくは、ユーザによる発話の音声認識結果から抽出されたキーワードと、予め設定された少なくともキーワードとコンテンツの編成方法との対応を示した編成方法リストを元に、コンテンツ編成方法を設定し、配信サーバへ送信する手段と、
上記キーワードとコンテンツ編成方法によって編成されたコンテンツリストを配信サーバから受信し、コンテンツリストに含まれるコンテンツに関する情報をユーザに提供する手段を備えたことを特徴とする情報端末。
（付記３）　ユーザがジャンルを入力する際、配信サーバから、ジャンルリストと該ジャンルリストに関する音声認識辞書を取得し、
ユーザの音声入力から、上記音声認識辞書を用いてジャンルを抽出し、該ジャンルに関する情報をユーザに提供する
ことを特徴とする付記２の情報端末。
（付記４）　ジャンル別にコンテンツが登録されている情報端末であって、
上記情報端末は、ユーザの音声入力から音声認識により抽出したキーワードと、予め設定された少なくともキーワードとコンテンツの編成方法との対応を示したリストを元に、コンテンツ編成方法を設定する手段と、
上記指定されたキーワードとコンテンツ編成方法によってコンテンツリストを編成し、コンテンツリストに含まれるコンテンツに関する情報をユーザに提供する手段を備える
ことを特徴とする情報端末。
（付記５）　上記コンテンツリストに含まれるコンテンツに関する情報とともに、コンテンツに関する情報の少なくとも一部を用いて作成した副次的情報をユーザに提供する手段を備えた
ことを特徴とする付記２，３または付記４の情報端末。
（付記６）　ユーザが、キーワードとコンテンツの編成方法との対応を示す編成方法リストをカスタマイズできるようにした
ことを特徴とする付記２，３，４または付記５の情報端末。
（付記７）　ジャンル別にコンテンツが登録されている配信サーバであって、
上記配信サーバは、情報端末から指定されたキーワードとコンテンツ編成方法によってコンテンツリストを編成する手段と、
上記情報端末に上記コンテンツリストを配信する手段と、
情報端末からの要求に応じて、ジャンルリストと該ジャンルリスト中のジャンルを音声認識するための、音声認識辞書を提供する手段とを備えた
ことを特徴とする配信サーバ。
（付記８）　ジャンル別にコンテンツが登録されている配信サーバであって、
上記配信サーバは、情報端末から送信された、ユーザが指定したキーワード、もしくは、ユーザの音声入力から音声認識により抽出したキーワードと、予め設定された少なくともキーワードとコンテンツの編成方法との対応を示した編成方法リストを元に、コンテンツ編成方法を設定する手段と、
上記指定されたキーワードとコンテンツ編成方法によってコンテンツリストを編成し、情報端末に送信する手段と、
コンテンツに関する情報の少なくとも一部を用いて作成した副次的情報を情報端末に送信する手段を備えた
ことを特徴とする配信サーバ。
（付記９）　コンテンツをユーザに提供する情報端末における情報提供プログラムであって、
上記プログラムは、
ユーザによる発話の音声認識結果から抽出したキーワードと、予め設定された少なくともキーワードとコンテンツの編成方法との対応を示した編成方法リストを元に、コンテンツ編成方法を設定し、配信サーバに送信する処理と、
上記キーワードとコンテンツ編成方法によって編成されたコンテンツリストを受信し、前記コンテンツリストに含まれるコンテンツに関する情報をユーザに提供する処理をコンピュータに実行させる
ことを特徴とする情報提供プログラム。
（付記１０）　配信サーバにおける情報提供プログラムであって、
上記プログラムは、情報端末から指定されたキーワードとコンテンツ編成方法によって、ジャンル別に登録されたコンテンツを基に、コンテンツリストを編成する処理と、
上記情報端末に上記コンテンツリストを配信する処理と、
コンテンツに関する情報の少なくとも一部を用いて作成した副次的情報を情報端末に配信するをコンピュータに実行させる
ことを特徴とする情報提供プログラム。
（付記１１）　配信サーバにおける情報提供プログラムであって、
上記プログラムは、情報端末から指定されたキーワードとコンテンツ編成方法によって、ジャンル別に登録されたコンテンツを基に、コンテンツリストを編成する処理と、
上記情報端末に上記コンテンツリストを配信する処理と、
情報端末からの要求に応じて、ジャンルリストと該ジャンルリスト中のジャンルを音声認識するための、音声認識辞書を情報端末に配信する処理をコンピュータに実行させることを特徴とする情報提供プログラム。
【００２５】
【発明の効果】
以上説明したように、本発明においては、一般のユーザが煩雑な操作をしなくても、音声入力等により、インターネットのコンテンツを容易に編成することを可能となる。また、コンテンツをユーザに提供する際に、同コンテンツの副次的情報をユーザに提供することができる。このため、ユーザの利便性の向上を図ることができる。
さらに、ジャンルリストとともに、音声認識辞書を配信サーバから取得することにより、音声認識により単語に制限がある場合やジャンルでのコンテンツ編成を行う場合でも、情報端末は最新の情報を利用することができる。
【図面の簡単な説明】
【図１】本発明の実施例の情報提供システムの概念図である。
【図２】本発明の実施例のコンテンツ登録を説明する概念図である。
【図３】本発明の実施例の情報端末の構成例を示す図である。
【図４】本発明の実施例のコンテンツの取得手順を示す流れ図である。
【図５】本発明の実施例のジャンルリスト・音声認識辞書の取得を説明する図である。
【図６】チェックボックスで指定できるようにしたジャンルリストの一例を示す図である。
【図７】従来例を示す図である。
【符号の説明】
１０　情報端末
１１　マイクロホン
１２　音声認識処理部
１３　テキスト解析処理部
１４　音声合成処理部
１５　スピーカ
１６　ネットワーク処理部
１７　編成方法リスト
１８　音声認識辞書
１９　ディスプレイ
２０　配信サーバ
３０　ユーザ
４０　インターネット網
【図１】
2004054734.tif 000007
【図２】
2004054734.tif 000008
【図３】
2004054734.tif 000009
【図４】
2004054734.tif 000010
【図５】
2004054734.tif 000011
【図６】
2004054734.tif 000012
【図７】
2004054734.tif 000013